(57)【特許請求の範囲】
【請求項１】
外部の装置と無線電波を送受信するアンテナと該アンテナを介して通信を行うことにより処理を実施するＩＣチップとを備えた非接触ＩＣカードにおいて、外部からの圧力が加えられていない通常時には、接点がオフ状態であり、外部から圧力が加えられた場合に、接点がオン状態に切り替わる感圧スイッチをさらに備え、該感圧スイッチに対して外部から圧力が加えられていない場合には、該感圧スイッチの接点がオフ状態のままになっていることにより、前記ＩＣチップは外部との通信が不可能な状態のまま維持され、該感圧スイッチに対して外部から圧力が加えられた場合に、該感圧スイッチの接点がオン状態に切り替わることにより、前記ＩＣチップが前記アンテナを介して外部との通信が可能な状態に設定され、
前記感圧スイッチの押圧部が、カードの表面または裏面または両面のほぼ全面の領域を覆う形状で形成されていること特徴とする非接触ＩＣカード。
【請求項２】
外部の装置と無線電波を送受信するアンテナと該アンテナを介して通信を行うことにより処理を実施するＩＣチップとを備えた非接触ＩＣカードにおいて、外部からの圧力が加えられていない通常時には、接点がオフ状態であり、外部から圧力が加えられた場合に、接点がオン状態に切り替わる感圧スイッチをさらに備え、該感圧スイッチに対して外部から圧力が加えられていない場合には、該感圧スイッチの接点がオフ状態のままになっていることにより、前記ＩＣチップは外部との通信が不可能な状態のまま維持され、該感圧スイッチに対して外部から圧力が加えられた場合に、該感圧スイッチの接点がオン状態に切り替わることにより、前記ＩＣチップが前記アンテナを介して外部との通信が可能な状態に設定され、
前記感圧スイッチの押圧部が、カードの表面または裏面の全面の領域を覆う形状で形成されていることを特徴とする非接触ＩＣカード。
【請求項３】
前記感圧スイッチの接点が、前記ＩＣチップと前記アンテナとの間を接続するアンテナ接続線上に配置されていることを特徴とする請求項１又は２に記載の非接触ＩＣカード。
【請求項４】
前記ＩＣチップ内の回路間を接続する内部配線のうち、あらかじめ任意に定めた特定の内部配線を当該ＩＣチップの外部端子から引き出し、引き出した前記特定の内部配線上に、前記感圧スイッチの接点が配置されていることを特徴とする請求項１又は２に記載の非接触ＩＣカード。
【請求項５】
外部の装置と無線電波を送受信するアンテナと該アンテナを介して通信を行うことにより処理を実施するＩＣチップとを備えた非接触ＩＣカードに対するスキミングを防止する非接触ＩＣカードスキミング防止方法であって、外部からの圧力が加えられていない通常時には、接点がオフ状態であり、外部から圧力が加えられた場合に、接点がオン状態に切り替わる感圧スイッチを用いて、該感圧スイッチに対して外部から圧力が加えられていない場合には、該感圧スイッチの接点がオフ状態のままになっていることにより、前記ＩＣチップが外部との通信が不可能な状態のまま維持され、該感圧スイッチに対して外部から圧力が加えられた場合に、該感圧スイッチの接点がオン状態に切り替わることにより、前記ＩＣチップが前記アンテナを介して外部との通信が可能な状態に設定され、
前記感圧スイッチの押圧部が、前記非接触ＩＣカードの表面または裏面または両面のほぼ全面を覆う形状で形成されていることを特徴とする非接触ＩＣカードスキミング防止方法。
【請求項６】
外部の装置と無線電波を送受信するアンテナと該アンテナを介して通信を行うことにより処理を実施するＩＣチップとを備えた非接触ＩＣカードに対するスキミングを防止する非接触ＩＣカードスキミング防止方法であって、外部からの圧力が加えられていない通常時には、接点がオフ状態であり、外部から圧力が加えられた場合に、接点がオン状態に切り替わる感圧スイッチを用いて、該感圧スイッチに対して外部から圧力が加えられていない場合には、該感圧スイッチの接点がオフ状態のままになっていることにより、前記ＩＣチップが外部との通信が不可能な状態のまま維持され、該感圧スイッチに対して外部から圧力が加えられた場合に、該感圧スイッチの接点がオン状態に切り替わることにより、前記ＩＣチップが前記アンテナを介して外部との通信が可能な状態に設定され、
前記感圧スイッチの押圧部が、前記非接触ＩＣカードの表面または裏面の全面を覆う形状で形成されていることを特徴とする非接触ＩＣカードスキミング防止方法。
【請求項７】
前記感圧スイッチの接点が、前記ＩＣチップと前記アンテナとの間を接続するアンテナ接続線上に配置されていることを特徴とする請求項５又は６に記載の非接触ＩＣカードスキミング防止方法。
【請求項８】
前記ＩＣチップ内の回路間を接続する内部配線のうち、あらかじめ任意に定めた特定の内部配線を当該ＩＣチップの外部端子から引き出し、引き出した前記特定の内部配線上に、前記感圧スイッチの接点が配置されていることを特徴とする請求項５又は６に記載の非接触ＩＣカードスキミング防止方法。
【発明の詳細な説明】
【技術分野】
【０００１】
本発明は、非接触ＩＣカードおよび非接触ＩＣカードスキミング防止方法に関する。本発明は、電子マネーや個人認証など、スキミング対策を要する非接触ＩＣカードを使用する分野全般への適応が可能である。
【背景技術】
【０００２】
非接触ＩＣカードは、財布や定期券入れなどの収納物の中に収納している状態においても、通信が可能な媒体であるが、その反面、非接触ＩＣカードは、財布や定期券入れの中などに収納していても、スキミングが可能な状態になるというリスクがある。
【０００３】
また、例えば特許文献１の特開２００８−２７２４１２号公報「スキミング防止機能付き非接触ＩＣカード用スライドパスケース」のように、電波が遮断される遮蔽ケースなどに非接触ＩＣカードを格納することによって、スキミングを防止する方法が従来から存在していたが、これらの従来のスキミング防止方法は、非接触ＩＣカードを使用する都度、遮蔽ケースなどから非接触ＩＣカードを取り出すことが必要であり、財布や定期券入れの中に入ったままの状態で、電子決済や個人認証を行うことが可能であるというメリットがなくなり、非接触ＩＣカードの使用時における利便性が低下していた。
【０００４】
また、特許文献２の特開２０１０−２６７１５０号公報「非接触型情報記録媒体」には、非接触型ＩＣタグに通信ボタンを配置し、該通信ボタンを押下操作したときのみ、非接触ＩＣタグに搭載されているＩＣチップとアンテナパターンとを接続して通信を可能な状態にする技術が開示されている。しかし、前記通信ボタンは、非接触型ＩＣタグ内の特定の場所に配置されているものであるため、ユーザは、該通信ボタンが存在している場所を一々確認して操作することが必要であり、操作性が低下していた。
【先行技術文献】
【特許文献】
【０００５】
【特許文献１】特開２００８−２７２４１２号公報（第２−３頁）
【特許文献２】特開２０１０−２６７１５０号公報（第５−８頁）
【発明の開示】
【発明が解決しようとする課題】
【０００６】
前述のように、非接触ＩＣカードのスキミングを防止する従来の技術においては、非接触カードの利便性や操作性が損なわれ、実用に供するためには問題があった。
【０００７】
（本発明の目的）
本発明は、前述のような問題を解決するためになされたものであり、非接触ＩＣカードの不使用時には、確実にスキミングを防止し、一方、非接触ＩＣカードの使用時には、財布や定期券入れ等から取り出すことなく、簡単に使用することが可能な非接触ＩＣカードおよび非接触ＩＣカードスキミング防止方法を提供することをその目的としている。
【課題を解決するための手段】
【０００８】
前述の課題を解決するため、本発明による非接触ＩＣカードおよび非接触ＩＣカードスキミング防止方法は、主に、次のような特徴的な構成を採用している。
【０００９】
（１）本発明による非接触ＩＣカードは、外部の装置と無線電波を送受信するアンテナと該アンテナを介して通信を行うことにより処理を実施するＩＣチップとを備えた非接触ＩＣカードにおいて、外部からの圧力が加えられていない通常時には、接点がオフ状態であり、外部から圧力が加えられた場合に、接点がオン状態に切り替わる感圧スイッチをさらに備え、該感圧スイッチに対して外部から圧力が加えられていない場合には、該感圧スイッチの接点がオフ状態のままになっていることにより、前記ＩＣチップは外部との通信が不可能な状態のまま維持され、該感圧スイッチに対して外部から圧力が加えられた場合に、該感圧スイッチの接点がオン状態に切り替わることにより、前記ＩＣチップが前記アンテナを介して外部との通信が可能な状態に設定されることを特徴とする。
【００１０】
（２）本発明による非接触ＩＣカードスキミング防止方法は、外部の装置と無線電波を送受信するアンテナと該アンテナを介して通信を行うことにより処理を実施するＩＣチップとを備えた非接触ＩＣカードに対するスキミングを防止する非接触ＩＣカードスキミング防止方法であって、外部からの圧力が加えられていない通常時には、接点がオフ状態であり、外部から圧力が加えられた場合に、接点がオン状態に切り替わる感圧スイッチを用いて、該感圧スイッチに対して外部から圧力が加えられていない場合には、該感圧スイッチの接点がオフ状態のままになっていることにより、前記ＩＣチップが外部との通信が不可能な状態のまま維持され、該感圧スイッチに対して外部から圧力が加えられた場合に、該感圧スイッチの接点がオン状態に切り替わることにより、前記ＩＣチップが前記アンテナを介して外部との通信が可能な状態に設定されることを特徴とする。
【発明の効果】
【００１１】
本発明の非接触ＩＣカードおよび非接触ＩＣカードスキミング防止方法によれば、以下のような効果を奏することができる。
【００１２】
第１の効果は、非接触ＩＣカード内の接続状態を感圧スイッチにより制御可能な構成としているので、ユーザは、該非接触ＩＣカードの使用後に、指を該非接触ＩＣカードから離して、あるいは、該非接触ＩＣカードを非接触ＩＣカードリーダライタの読み書き面から離して、感圧スイッチに圧力が加わらない状態にすれば、感圧スイッチの接点がオフ状態に自動的に設定されて、該非接触ＩＣカードを外部との通信が不可能な状態に復旧させることができる点にある。而して、ユーザは、特別の操作を行わなくても、非接触ＩＣカードのスキミングを確実に防止することができる。
【００１３】
第２の効果は、非接触ＩＣカード内の接続状態を制御する感圧スイッチの押圧部が該非接触ＩＣカードの表面または裏面の全面をほぼ覆うような形状にすることにより、ユーザは、該非接触ＩＣカードを財布や定期券入れに収納したままの状態であっても、該感圧スイッチに圧力を加えて接点をオン状態（導通状態）にすることができ、該非接触ＩＣカードを外部との通信が可能な状態に設定することができる点にある。而して、ユーザは、使用したい時点で、わざわざ、非接触ＩＣカードを財布や定期券入れから取り出さなくても使用することができるので、非接触ＩＣカードの利便性を損なうことがなく、かつ、不使用時における非接触ＩＣカードのスキミング防止を図ることも可能になっている。
【図面の簡単な説明】
【００１４】
【図１】本発明による非接触ＩＣカードの構成例を示す模式図である。
【図２】図１の非接触ＩＣカードの上面から眺めた際の断面構造の一例を示す断面構造図である。
【図３】図１、図２に示した非接触ＩＣカードの通信状態を遷移させる手順を説明するためのアクティビティ図である。
【図４】図１、図２に示した非接触ＩＣカードの使用時における動作を説明するための模式図である。
【発明を実施するための形態】
【００１５】
以下、本発明による非接触ＩＣカードおよび非接触ＩＣカードスキミング防止方法の好適な実施形態について添付図を参照して説明する。
【００１６】
（本発明の特徴）
本発明の実施形態の説明に先立って、本発明の特徴についてその概要をまず説明する。本発明は、非接触ＩＣカードの使用時においてのみ、非接触ＩＣカード内のＩＣチップとアンテナとを導通させることができる状態に設定する仕組みを備えることによって、不使用時における非接触ＩＣカードのスキミング防止を可能にすることを主要な特徴としている。
【００１７】
すなわち、本発明は、非接触ＩＣカードを使用していない通常時には、当該非接触ＩＣカード内のＩＣチップとアンテナとが導通していない状態にするか、あるいは、ＩＣチップ内の回路間を接続する内部配線の一部を接続していない状態にするか、のいずれかの状態に設定して、当該非接触ＩＣカードが、非接触ＩＣカードリーダライタなどの外部の装置との通信を行うことができない状態に設定することによって非接触ＩＣカードのスキミングを防止する。また、非接触ＩＣカードの使用時において、当該非接触ＩＣカード内のＩＣチップとアンテナとを接続したり、ＩＣチップ内の回路間の内部配線を接続したりする仕組みとして、感圧スイッチを採用し、該感圧スイッチの押圧部に圧力を外部から加えることによって、該感圧スイッチの接点を閉成させるようにする。感圧スイッチとは、圧力を加えていない状態では、抵抗値が高く、接点が開放された状態になり、圧力を加えることによって抵抗値を下げ、接点を導通状態に設定することができるスイッチのことである。
【００１８】
したがって、非接触ＩＣカードを使用していない場合には、感圧スイッチに圧力を加えることなく財布や定期券入れ等の収納したままにし、非接触ＩＣカードの使用時にのみ、当該非接触ＩＣカードを財布や定期券入れから取り出すことなく収納した状態のまま、上から圧力を加えることによって、感圧スイッチを押圧して、非接触ＩＣカード内のＩＣチップとアンテナとを導通可能な状態に設定したり、ＩＣチップ内の回路間の内部配線を接続した状態に設定したりすることを可能にしている。而して、使用時における非接触ＩＣカードの利便性を低下させることなく、不使用時における非接触ＩＣカードのスキミング防止を可能にしている。
【００１９】
（実施形態の構成例）
次に、本発明による非接触ＩＣカードの構成例について、図１を用いて説明する。図１は、本発明による非接触ＩＣカードの構成例を示す模式図であり、図１（ａ）は、非接触ＩＣカード内のＩＣチップとアンテナとの間を、感圧スイッチを介して接続している構成例を示し、図１（ｂ）は、非接触ＩＣカード内のＩＣチップの内部の任意に定めた特定の回路を、感圧スイッチを介して内部接続している構成例を示している。
【００２０】
図１（ａ）に示す非接触ＩＣカード１０Ａは、内蔵するＩＣチップ１１とアンテナ１２との間を接続するアンテナ接続線１４が感圧スイッチ１３Ａの接点を介して接続されている。アンテナ接続線１４はアクティブ線１４ａとリターン線１４ｂでなり、感圧スイッチ１３Ａはアクティブ線１４ａに挿入されている。感圧スイッチ１３Ａは、押圧されていない通常時には、接点がオフ状態（開放状態）になっていて、ＩＣチップ１１とアンテナ１２とは接続されていない状態に設定されていて、ＩＣチップ１１は外部との通信ができない遮断状態になっている。
【００２１】
一方、当該非接触ＩＣカード１０Ａを使用しようとするユーザが、感圧スイッチ１３Ａを押圧すると、感圧スイッチ１３Ａの接点がオン状態（閉成状態）に切り替わり、ＩＣチップ１１とアンテナ１２とは導通状態になって、ＩＣチップ１１は、アンテナ１２を介して外部との通信が可能な状態になり、当該非接触ＩＣカードを使用することが可能な状態になる。
【００２２】
また、図１（ｂ）に示す非接触ＩＣカード１０Ｂでは、内蔵するＩＣチップ１１とアンテナ１２との間はアンテナ接続線１４によって常時接続されているが、ＩＣチップ１１内の回路間を接続する内部配線のうち、特定の回路間を接続する特定の内部配線１５は、ＩＣチップ１１の外部端子に引き出されて、感圧スイッチ１３Ｂの接点を介して接続された構成とされている。感圧スイッチ１３Ｂは、図１（ａ）に示す感圧スイッチ１３Ａと同様、押圧されていない通常時には、接点がオフ状態（開放状態）になっていて、ＩＣチップ１１の特定の回路間を接続する特定の内部配線１５は接続されていない状態に設定されて、ＩＣチップ１１は非動作状態になり、外部との通信ができない状態になっている。
【００２３】
一方、当該非接触ＩＣカード１０Ｂを使用しようとするユーザが、感圧スイッチ１３Ｂを押圧すると、感圧スイッチ１３Ｂの接点がオン状態（閉成状態）に切り替わり、ＩＣチップ１１の内部配線１５が接続された状態になって、ＩＣチップ１１は動作状態に切り替わって、アンテナ１２を介して外部との通信が可能な状態になり、当該非接触ＩＣカードを使用することが可能な状態になる。
【００２４】
図１（ａ）に示すように、非接触ＩＣカード１０Ａ内のＩＣチップ１１とアンテナ１２とを接続するアンテナ接続線１４の接続状態を感圧スイッチ１３Ａにより切り替える構成とすることによって、あるいは、図１（ｂ）に示すように、非接触ＩＣカード１０Ｂ内のＩＣチップ１１の内部の特定回路間を接続する内部配線１５の接続状態を感圧スイッチ１３Ｂにより切り替える構成とすることによって、非接触ＩＣカード１０Ａあるいは非接触ＩＣカード１０Ｂの使用時における利便性を維持しつつ、非接触ＩＣカード１０Ａあるいは非接触ＩＣカード１０Ｂの不使用時におけるスキミングを確実に防止する仕組みを実現している。
【００２５】
図１に示すような感圧スイッチ１３Ａ、１３Ｂの採用により、感圧スイッチ１３Ａ、１３Ｂに対して圧力を加えた時のみ、非接触ＩＣカード１０Ａ、１０Ｂを使用可能な状態にし、感圧スイッチ１３Ａ、１３Ｂに対して圧力を加えない状態にすれば、非接触ＩＣカード１０Ａ、１０Ｂを使用不可能な状態に自動的に復旧させることができるので、非接触ＩＣカード１０Ａ、１０Ｂを使用しない通常時におけるスイッチの戻し忘れのような事態が生じることがなく、非接触ＩＣカード１０Ａ、１０Ｂに対するスキミング行為をより確実に防ぐことができるという効果が得られる。
【００２６】
次に、非接触ＩＣカード１０Ａあるいは非接触ＩＣカード１０Ｂの使用時における利便性を維持することを可能にしている仕組みについて、図２を用いて説明する。図２は、図１の非接触ＩＣカードの上面から眺めた際の断面構造の一例を示す断面構造図であり、感圧スイッチの押圧部が非接触ＩＣカードの表面または裏面のほぼ全面を覆った状態で配置されていることを分かり易く示すために、断面構造に感圧スイッチの押圧部の形状を重ね合わせて示している。
【００２７】
図２の断面構造図において、図２（ａ）は、図１（ａ）に示した非接触ＩＣカード１０Ａの断面構造を示しており、ＩＣチップ１１とアンテナ１２との間を接続するアンテナ接続線１４におけるアクティブ線１４ａは、感圧スイッチ１３Ａの接点を介して接続されている。また、図２（ｂ）は、図１（ｂ）に示した非接触ＩＣカード１０Ｂの断面構造を示しており、ＩＣチップ１１とアンテナ１２との間はアンテナ接続線１４（アクティブ線１４ａ及びリターン線１４ｂでなる。）により常時接続されているが、ＩＣチップ１１内の内部配線の一部は、ＩＣチップ１１の外部に引き出されて、内部配線１５として感圧スイッチ１３Ｂの接点を介して接続されている。
【００２８】
図２（ａ）に示す非接触ＩＣカード１０Ａ、図２（ｂ）に示す非接触ＩＣカード１０Ｂのいずれも、アンテナ１２は、非接触ＩＣカード１０Ａ、１０Ｂの外縁部に沿って配置されており、ＩＣチップ１１は、アンテナ１２の内側の例えば右上隅に配置されている。なお、アンテナ１２を太線で示しているが、これは、必要とする電界強度が得られるように、アンテナ線を、複数回、巻回している状態であることを意味している。
【００２９】
さらに、図２（ａ）に示す非接触ＩＣカード１０Ａ、図２（ｂ）に示す非接触ＩＣカード１０Ｂのいずれも、感圧スイッチ１３Ａ、１３Ｂの押圧部が、アンテナ１２とＩＣチップ１１との領域を除く非接触ＩＣカード１０Ａ、１０Ｂの表面または裏面のほぼ全面を覆うような形状にして構成されている。非接触ＩＣカード１０Ａ、１０Ｂの大きさに比して、感圧スイッチ１３Ａ、１３Ｂの押圧部の面積が小さい場合は、感圧スイッチ１３Ａ、１３Ｂの押下操作をしようとするユーザは、非接触ＩＣカード１０Ａ、１０Ｂ上の配置場所を視認しない限り、感圧スイッチ１３Ａ、１３Ｂの押圧部を正しく押下操作することができない。この結果、例えば、財布や定期券入れに非接触ＩＣカード１０Ａ、１０Ｂを収納した状態のままでは、非接触ＩＣカード１０Ａ、１０Ｂを使用することができなくなって、利便性を損なうことになる。
【００３０】
したがって、図２（ａ）、（ｂ）においては、財布や定期券入れに非接触ＩＣカード１０Ａ、１０Ｂを収納したまま、感圧スイッチ１３Ａ、１３Ｂの押圧部を正しく押下操作することができるように、感圧スイッチ１３Ａ、１３Ｂの押圧部は、非接触ＩＣカード１０Ａ、１０Ｂの表面または裏面のほぼ全面を覆うような形状にして構成している。
【００３１】
なお、図２に示す例においては、感圧スイッチ１３Ａ、１３Ｂの押圧部が、アンテナ１２とＩＣチップ１１との領域を除く残りの非接触ＩＣカード１０Ａ、１０Ｂの表面または裏面のほぼ全面を覆う形状としているが、感圧スイッチの押圧部を表面と裏面の両面に設け、感圧スイッチの押圧部が、表面と裏面の両面のほぼ全面を覆う形状とするようにしてもよい。また、場合によっては、感圧スイッチ１３Ａ、１３Ｂの押圧部は、アンテナ１２、ＩＣチップ１１の領域も含めた非接触ＩＣカード１０Ａ、１０Ｂの表面または裏面のすべての領域を覆うような形状としても良い。アンテナ１２、ＩＣチップ１１の領域も含めた非接触ＩＣカード１０Ａ、１０Ｂの表面または裏面の全域を覆うような形状にする場合、感圧スイッチ１３Ａ、１３Ｂの押圧部は、アンテナ１２、ＩＣチップ１１を設置している層とは別の層に形成する構造とすれば良い。
【００３２】
（実施形態の動作の説明）
次に、図１、図２に示した非接触ＩＣカード１０Ａ、１０Ｂについて、外部の装置との通信が不可能な状態から通信が可能な状態に移行して、該非接触ＩＣカード１０Ａ、１０Ｂを使用した後、外部の装置との通信が不可能な状態に復旧するまでの動作について、図３のアクティビティ図を用いて説明する。図３は、図１、図２に示した非接触ＩＣカード１０Ａの通信状態を遷移させる手順を説明するためのアクティビティ図である。以下の説明においては、説明を簡素化するために、図１（ａ）、図２（ａ）の非接触ＩＣカード１０Ａの場合について説明するが、図１（ｂ）、図２（ｂ）の非接触ＩＣカード１０Ｂの場合についても、ほぼ同様であり、ここでの詳細な説明は省略する。
【００３３】
つまり、非接触ＩＣカード１０Ａ、１０Ｂの外部の装置との通信状態を制御するために、図１（ａ）、図２（ａ）の非接触ＩＣカード１０Ａの場合の感圧スイッチ１３Ａの接点がアンテナ接続線１４の接続を開放／導通させる位置に配置されて、アンテナ１２についての通電の有無状態を制御しているのに対して、図１（ｂ）、図２（ｂ）の非接触ＩＣカード１０Ｂの場合は、感圧スイッチ１３Ｂの接点が、ＩＣチップ１１内の特定の内部配線１５の接続を開放／導通させる位置に配置されて、ＩＣチップ１１の動作の可否状態を制御している点が異なっているだけである。
【００３４】
図３のアクティビティ図において、ユーザが、非接触ＩＣカード１０Ａを使用しようとする場合、非接触ＩＣカード１０Ａに指や掌を用いて圧力を加える操作を行うと、非接触ＩＣカード１０Ａの感圧スイッチ１３Ａが反応して、接点がオン状態（閉成状態）になり、アンテナ接続線１４が導通状態に切り替わって、ＩＣチップ１１とアンテナ１２との間が接続されて、非接触ＩＣカード１０Ａは外部の装置との通信が可能な状態になる（ステップＳＴ１）。この結果、非接触ＩＣカード１０Ａが使用可能な状態になる。
【００３５】
非接触ＩＣカード１０Ａに圧力を加えたままの状態で、非接触ＩＣカード１０Ａを非接触ＩＣカードリーダライタ上にかざすと、非接触ＩＣカード１０Ａと該非接触ＩＣカードリーダライタとの間で通信が行われて、ユーザが所望する処理例えば電子決済や個人認証等の処理が実施される（ステップＳＴ２）。
【００３６】
所望の処理が終了した段階で、ユーザが非接触ＩＣカード１０Ａに加えていた指や掌の圧力を解除すると、非接触ＩＣカード１０Ａの感圧スイッチ１３Ａが反応して、オフ状態（開放状態）になり、アンテナ接続線１４が切断状態に切り替わって、ＩＣチップ１１とアンテナ１２との間の接続が開放されて、非接触ＩＣカード１０Ａは外部の装置との通信が不可能な状態になる（ステップＳＴ３）。この結果、非接触ＩＣカード１０Ａが使用することができない状態に切り替わり、外部からは非接触ＩＣカード１０Ａにアクセスすることができない状態になる。
【００３７】
つまり、非接触ＩＣカード１０Ａに圧力を加えていた間だけ、当該非接触ＩＣカード１０Ａは、外部の装置との通信が可能な状態になり、所望する処理を実施することが可能になる。一方、非接触ＩＣカード１０Ａに圧力が加わっていない通常の状態においては、当該非接触ＩＣカード１０Ａは、外部の装置との通信が不可能な状態になり、不使用時における当該非接触ＩＣカード１０Ａに対する不当なスキミング行為を防止することが可能な状態に自動的に設定される。
【００３８】
ここで、図４に示すように、非接触ＩＣカード１０Ａ、１０Ｂは、不使用時における不当なスキミング防止を可能にしつつ、使用時における利便性を損なうことがないような構造を採用している。図４は、図１、図２に示した非接触ＩＣカード１０Ａの使用時における動作を説明するための模式図である。以下の説明においては、説明を簡素化するために、図１（ａ）、図２（ａ）の非接触ＩＣカード１０Ａの場合について説明するが、図１（ｂ）、図２（ｂ）の非接触ＩＣカード１０Ｂの場合についても、全く同様であり、ここでの詳細な説明は省略する。
【００３９】
非接触ＩＣカード１０Ａに設けられた感圧スイッチ１３Ａの押圧部は、図２（ａ）に示したように、当該非接触ＩＣカード１０Ａの表面または裏面のほぼ全面を覆うような構造とされており、ユーザは、当該非接触ＩＣカード１０Ａのどの部位に対して指や掌を用いて圧力を加える操作を行っても、感圧スイッチ１３Ａを反応させて、オン状態（閉成状態）に切り替えることができる構造となっている。
【００４０】
つまり、ユーザは、当該非接触ＩＣカード１０Ａが存在している場所さえ把握していれば、当該非接触ＩＣカード１０Ａ上の感圧スイッチ１３Ａの位置をわざわざ視認しなくても、当該非接触ＩＣカード１０Ａ上に指や掌で圧力を加えると、感圧スイッチ１３Ａの押圧部に対して圧力を加えた状態にすることができる。
【００４１】
したがって、例えば、図４に示すように、非接触ＩＣカード１０Ａを財布や定期券入れなどの収納物２０内に収納している状態のまま、該収納物２０に対して、指や掌などの非接触ＩＣカード１０Ａを保持する保持部位２２を使って、圧力を加えた状態にすると、収納物２０を介して、収納している非接触ＩＣカード１０Ａの感圧スイッチ１３Ａの押圧部に対して圧力を加えた状態にすることができ、感圧スイッチ１３Ａを反応させて、接点をオン状態（閉成状態）に切り替えることができる。
【００４２】
かくのごとく、非接触ＩＣカード１０Ａが収納されている収納物２０に圧力を加えたままの状態で、図４に示すように、非接触ＩＣカードリーダライタ２１に、該収納物２０をかざすと、収納物２０に収納されている非接触ＩＣカード１０Ａと非接触ＩＣカードリーダライタ２１との間で通信が行われて、ユーザが所望する処理を実施させることができる。
【００４３】
つまり、ユーザは、当該非接触ＩＣカード１０Ａが収納されている財布や定期券入れなどの収納物２０さえ把握していれば、当該非接触ＩＣカード１０Ａをわざわざ収納物２０から取り出すこともなく、収納されたままの状態で収納物２０に対して圧力を加えて非接触ＩＣカードリーダライタ２１にかざすだけで、所望の処理を実施させることができる。
【００４４】
さらに、所望の処理が終了した後は、非接触ＩＣカード１０Ａが収納されたままの状態で収納物２０に対して加えていた圧力を解除しさえすれば、感圧スイッチ１３Ａを反応させて、接点をオフ状態（開放状態）に復帰させることができ、非接触ＩＣカード１０Ａを外部との通信が不可能な状態に自動的に移行させることができる。したがって、わざわざ、スキミング防止用の特別の操作をしなくても、そのまま、非接触ＩＣカード１０Ａが収納された収納物２０をポケット等に収納しても、非接触ＩＣカード１０Ａに対する不当なスキミング行為を防ぐことができる。
【００４５】
なお、指や掌などの保持部位２２によって収納物２０に対して圧力を加える以外に、例えば、非接触ＩＣカード１０Ａと通信を行って所望の処理を行おうとしている非接触ＩＣカードリーダライタ２１の読み書き面に収納物２０を押し付けることによって、非接触ＩＣカード１０Ａの感圧スイッチ１３Ａの押圧部に圧力を加えるようにしても良い。
【００４６】
（実施形態の効果の説明）
以上に詳細に説明したように、本実施形態においては、次のような効果が得られる。
【００４７】
非接触ＩＣカード１０Ａ、１０Ｂに対する通信・処理が必要な場合にのみ、感圧スイッチ１３Ａ、１３Ｂに圧力を加えることによって、非接触ＩＣカード１０Ａ、１０Ｂに搭載しているＩＣチップ１１に対する外部からの通信が可能な状態に切り替えることができるので、非接触ＩＣカードを使用していない通常時においては、感圧スイッチ１３Ａ、１３Ｂに圧力を加えていない状態に維持しておくだけで、非接触ＩＣカード１０Ａ、１０Ｂに対する不当なスキミングを確実に防止することができる。
【００４８】
また、非接触ＩＣカード１０Ａ、１０Ｂのほぼ全面を覆うように感圧スイッチ１３Ａ、１３Ｂの押圧部が形成されているので、非接触ＩＣカード１０Ａ、１０Ｂを財布や定期券入れなどの収納物の中に収納したままの状態であっても、該収納物の上から圧力を加えることによって、非接触ＩＣカード１０Ａ、１０Ｂに搭載しているＩＣチップ１１に対する外部からの通信が可能な状態に切り替えることができるので、当該非接触ＩＣカード１０Ａ、１０Ｂを使った電子決済や認証等の所望の処理を、ユーザの利便性を損なうことなく実施することができる。
【００４９】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５０】
１０Ａ    非接触ＩＣカード
１０Ｂ    非接触ＩＣカード
１１      ＩＣチップ
１２      アンテナ
１３Ａ    感圧スイッチ
１３Ｂ    感圧スイッチ
１４      アンテナ接続線
１４ａ    アンテナ接続線１４のアクティブ線
１４ｂ    アンテナ接続線１４のリターン線
１５      内部配線
２０      収納物
２１      非接触ＩＣカードリーダライタ
２２      保持部位
【図１】
0005348709.tif 000002
【図２】
0005348709.tif 000003
【図３】
0005348709.tif 000004
【図４】
0005348709.tif 000005